(57)【要約】【課題】窓の外から入射する光を選択的に遮光しつつ、窓の内側から外側への視界を良好にできる光フィルターを提供する。【解決手段】光フィルター１００は、光透過性基材５０と、複数の遮光層５１とが交互に積層し、窓に貼着して使用されるものであって、遮光層５１が、光透過性基材５０の表面に形成され所定のピッチで配置された実質的に平行な複数の遮光帯１０と、隣接する遮光帯１０の間に形成される光透過帯１１とを備え、光透過帯１１の平均幅が１５０μｍ以上、５００μｍ以下であり、光フィルター１００の厚みが０．４ｍｍ以上、２．０ｍｍ以下である。【選択図】図１
2020160111.tif 000002
【特許請求の範囲】
【請求項１】
光透過性基材と、複数の遮光層とが交互に積層し、窓に貼着して使用される窓用光フィルターであって、
前記遮光層が、前記光透過性基材の表面に形成され所定のピッチで配置された実質的に平行な複数の遮光帯と、隣接する当該遮光帯の間に形成される光透過帯とを備え、
前記光透過帯の平均幅が１５０μｍ以上、５００μｍ以下であり、
前記窓用光フィルターの厚みが０．４ｍｍ以上、２．０ｍｍ以下である、窓用光フィルター。
【請求項２】
前記光透過帯の左右の側辺のうち少なくとも一方の側辺が非直線部を有する、請求項１に記載の窓用光フィルター。
【請求項３】
前記光透過帯の最大幅が、前記平均幅に対して、１．０以上、１．３５以下であり、
前記光透過帯の最小幅が、前記平均幅に対して、０．６５以上、１．０以下である、請求項１または２に記載の窓用光フィルター。
【請求項４】
前記光透過帯の左右の側辺のうち少なくとも一方の側辺が凹凸形状である、請求項１乃至３いずれか一項に記載の窓用光フィルター。
【請求項５】
前記光透過帯の両辺が櫛形形状である、請求項１乃至４いずれか一項に記載の窓用光フィルター。
【請求項６】
前記光透過帯の両辺が複数の段からなる凸部を有する凹凸形状である、請求項１乃至４いずれか一項に記載の窓用光フィルター。
【請求項７】
前記遮光帯が印刷層である、請求項１乃至６いずれか一項に記載の窓用光フィルター。
【請求項８】
前記遮光層を３層以上有する、請求項１乃至７いずれか一項に記載の窓用光フィルター。
【請求項９】
前記複数の前記遮光層が、前記光透過性基材に対して対称である、請求項１乃至８いずれか一項に記載の窓用光フィルター。
【請求項１０】
請求項１乃至９いずれか一項に記載の窓用光フィルターを、前記遮光帯が水平方向になるように窓に貼着して使用する、窓用光フィルターの使用方法。
【発明の詳細な説明】
【技術分野】
【０００１】
本発明は、窓用光フィルターに関する。
【背景技術】
【０００２】
プライバシー保護等の観点から、液晶ディスプレイ等の表示画面や窓ガラスにルーバーフィルムを取り付け、透過させたい透過光のみを選択的に透過させることが行われている。
【０００３】
光フィルターとして、例えば、特許文献１には、透明板の両面に所定幅の光線吸収層を併設し、光透過部の巾と光吸収層の巾等を調整することにより、透過光線の方向を制御する技術が開示されている。
【先行技術文献】
【特許文献】
【０００４】
【特許文献１】特開昭６１−１００７０１号公報
【発明の概要】
【発明が解決しようとする課題】
【０００５】
窓用の光フィルターは、光を選択的に透過させるだけでなく、窓の内側から外側の景色が良好に見えることが求められる。そこで、特許文献１に記載される技術においては、光透過部の巾を大きくすることで、良好な視界が得られやすくなる反面、遮光効果が得られにくくなり、光フィルターとしての機能を果たせなくなるという問題が生じる。また、遮光効果を得るために透明板の厚みを厚くすると、窓用の光フィルターとして窓に貼着して使用しにくくなるというデメリットがある。一方で、光透過部の巾を小さくし、光吸収層の巾を大きくすれば、遮光効果は得られるものの、光の回折現象が起こりやすくなるという問題がある。そのため、特許文献１に記載される技術は、窓用の光フィルターとして具現化されたものではなかった。
【課題を解決するための手段】
【０００６】
上記問題を解決するため、本発明者が鋭意検討を行った結果、窓用の光フィルターとして、光透過帯の平均幅と、光フィルターの厚みに着目し、これを制御することで、窓の外から入射する太陽光を選択的に遮光しつつ、窓の内側から外側への視界を良好にできる光フィルターが得られることを見出し、本発明を完成させた。
【０００７】
本発明は、
光透過性基材と、複数の遮光層とが交互に積層し、窓に貼着して使用される窓用光フィルターであって、
前記遮光層が、前記光透過性基材の表面に形成され所定のピッチで配置された実質的に平行な複数の遮光帯と、隣接する前記遮光帯の間に形成される光透過帯とを備え、
前記光透過帯の平均幅が１５０μｍ以上、５００μｍ以下であり、
前記窓用光フィルター１００の厚みが０．４ｍｍ以上、２．０ｍｍ以下である、窓用光フィルターを提供する。
【０００８】
また、本発明は、
上記の窓用光フィルターを、前記遮光帯が水平方向になるように窓に貼着して使用する、窓用光フィルターの使用方法を提供する。
【発明の効果】
【０００９】
本発明によれば、窓の外から入射する光を選択的に遮光しつつ、窓の内側から外側への視界を良好にできる光フィルターを提供できる。
【図面の簡単な説明】
【００１０】
【図１】本実施形態における光フィルターの模式的斜視図である。
【図２】本実施形態における光フィルターの断面構造を示す図である。
【図３】本実施形態における光フィルターの変形例を示す模式的斜視図である。
【図４】本実施形態における光フィルターの遮光帯の変形例を示す模式的斜視図である。
【図５】本実施形態における光フィルターの遮光帯の変形例を示す模式的斜視図である。
【図６】本実施形態における光フィルターの変形例を示す模式的斜視図である。
【図７】本実施形態における光フィルターの変形例を示す模式的斜視図である。
【発明を実施するための形態】
【００１１】
以下、本発明の実施の形態について、図面を用いて説明する。なお、すべての図面において、同様な構成要素には同様の符号を付し、適宜説明を省略する。また、図面において、縮尺及び縦横の比率などは説明の便宜上示したものであり、適宜変更可能である。
【００１２】
（第１実施形態）
図１は、第１実施形態における窓用光フィルターの模式的斜視図を示す図であり、図２は、第１実施形態における窓用光フィルターの断面構造を示す図である。
以下、図面を用いて、詳述する。
【００１３】
［光フィルター］
本実施形態の光フィルター１００は、窓に貼着して用いられるものであって、これにより、太陽光を選択的に遮光できる。光フィルター１００は、光透過性基材５０と、複数の遮光層５１とが交互に積層したものである。図１には、遮光層５１として、遮光層１１０、および遮光層１２０が示され、遮光層１１０、光透過性基材５０、および遮光層１２０がこの順に積層した例が示されている。
【００１４】
本実施形態の光フィルター１００の厚みは、０．４ｍｍ以上、２．０ｍｍ以下であり、好ましくは０．５ｍｍ以上、０．８ｍｍ以下である。光フィルター１００の厚みを、上記下限値以上とすることにより、光の遮光性が良好になり、上記上限値以下とすることにより、窓に貼着しやすくなる。
【００１５】
［光透過基材］
光透過性基材５０は、板状またはフィルム状である。光透過性基材５０は、可視光透過率が８０％以上のものが好ましく、９０％以上のものがより好ましい。これにより、鮮明で、明るい視野を得ることができる。
光透過性基材５０の材料としては、透明樹脂であることが好ましく、例えば、ポリエステル樹脂、アクリル樹脂、ポリエチレンテレフタレート樹脂、ポリカーボネート樹脂、ポリ塩化ビニル樹脂、およびポリスチレンなどが挙げられる。これらは、光フィルター１００の用途、目的に応じ、強度や屈折率などを考慮して、適宜選択することができる。効果的に回折現象を抑制する観点から、アクリル樹脂、またはポリエステル樹脂であることが好ましい。
【００１６】
光透過性基材５０の厚みは、好ましくは０．１ｍｍ以上、２．０ｍｍ以下であり、より好ましくは０．１５ｍｍ以上、０．３ｍｍ以下である。光透過性基材５０の厚みは、光フィルター１００全体の厚みと、遮光性を鑑みて、適宜、設計される。
光透過性基材５０の厚みを、上記下限値以上とすることにより、光透過の選択性を保持しつつ、後述する光透過帯１１の幅を大きくすることができる。一方、光透過性基材５０の厚みを、上記上限値以下とすることにより、光フィルター１００全体の厚みを低くし、窓に貼着して使用しやすくなる。
【００１７】
なお、光フィルター１００の厚みとは、光透過性基材５０が単数の場合は光透過性基材５０そのものの厚みにほぼ等しい。光透過性基材５０が複数の場合は、最外層となる一方の光透過性基材５０の外面から他方の光透過性基材５０の外面までの距離が総厚となる。複数の光透過性基材５０が接着層を介して積層されている場合は、当該接着層の厚みを含む。
【００１８】
［遮光層］
本実施形態において、遮光層１１０と遮光層１２０とは、光透過性基材５０に対して、対称となっている。言いかえると、遮光層１１０と遮光層１２０とは、光透過性基材５０を介して対向している。これにより、光透過性基材５０に対して、正面方向からの光を透過し、斜め方向からの光を透過させないようにできる。遮光層１１０、および遮光層１２０は、同じ構成とすることができる。
以下、遮光層１１０について詳述する。
【００１９】
図１に示すように、遮光層１１０は、光透過性基材５０の表面に形成され所定のピッチで配置された実質的に平行な複数の遮光帯１０と、隣接する遮光帯１０の間に形成される光透過帯１１とを備える。
【００２０】
遮光帯１０は、光を遮断するものである。本実施形態において、遮光帯１０は、短冊状であり、互いに平行になっている。
遮光帯１０は、可視光透過率が３０％以下であることが好ましく、１０％以下であることがより好ましい。これにより、透過させたくない光を効果的に遮断できる。
【００２１】
遮光帯１０は薄層である。遮光帯１０の厚みは、光吸収を充分に行う観点からは２μｍ以上であることが好ましく、一方、遮光帯１０の厚みによりななめ方向からの光が反射して良好な視界が妨げられることを抑制する点からは、３０μｍ以下であることが好ましく、１０μｍ以下であることがより好ましい。
【００２２】
遮光帯１０は、印刷層であることが好ましい。印刷層とは、印刷により形成された層である。これにより、遮光帯１０の厚みを小さくでき、遮光帯１０の厚みにより光が反射することによる良好な視界が妨げられることを低減できる。また、簡便な方法で遮光帯１０を形成できると共に、遮光帯１０の設計の自由度を増すことができる。
遮光帯１０の印刷方法としては、スクリーン印刷法、グラビア印刷法、厚膜印刷法など、公知の方法を用いることができる。その際、黒色インキ、または黒色顔料を使用することが好ましい。
光透過性基材５０は、一方の面に遮光帯１０を有したものであってもよく、両面に遮光帯１０を有したものであってもよいが、遮光帯１０の位置精度を向上させ、遮光性の選択性を良好にしつつ、良好な視界を得る観点から、一方の面に遮光帯１０を有することが好ましい。この場合、光フィルターは、一方の面に遮光帯１０を有した光透過性基材５０が少なくとも２層以上積層した構造となる。
【００２３】
光透過帯１１は、遮光層１１０の遮光帯１０が配置されていない領域に相当する。光透過帯１１により、光フィルター１００の光透過性を保持できる。
光透過帯１１の平均幅は、光フィルター１００の厚みに応じて設計されるものであり、本実施形態においては、１５０μｍ以上、５００μｍ以下であり、１７０μｍ以上、３００μｍ以下であることが好ましく、１９０μｍ以上、２５０μｍ以下であることがより好ましい。
光透過帯１１の平均幅を、上記下限値以上とすることにより、光透過性を良好にし、視界を良好にできる。一方、光透過帯１１の平均幅を、上記上限値以下とすることにより、遮光効果が得られる。
なお、幅とは、平行する遮光帯１０に対し直交する方向における光透過帯１１の長さを意図する。
【００２４】
また、光透過帯１１の平均幅は、光フィルター１００の総厚の０．２倍〜０．６倍であることが好ましく、０．３倍〜０．４倍であることがより好ましい。光透過帯１１の平均幅を、上記下限値以上とすることにより、光透過性を良好にし、視界を良好にできる。一方、光透過帯１１の平均幅を、上記上限値以下とすることにより、遮光効果が得られる。
【００２５】
一方、遮光帯１０の幅は、遮光層５１の数Ｎによって設計され、遮光層５１の数が増えるにしたがい、遮光帯１０の幅の下限値を小さくすることができる。
ここで、実際に、光フィルター１００中を進行する光線の光透過性基材５０（境界面）への入射角は、臨界角（θｔｈ）を超えることはない。そこで、光フィルター１００の総厚みをＴとすると、遮光帯１０の幅は、以下の式（１）により設定される。
遮光帯１１の幅＞Ｔ／（Ｎ−１）×  Ｔａｎ（θｔｈ）      （１）
例えば、光透過性基材５０の屈折率が１．５であるとき、臨界角θｔｈはおおよそ４２°となるので、遮光帯１１の幅は、光フィルター１００の総厚Ｔに対して、Ｎ＝２の場合０．８７倍以上、Ｎ＝３であれば０．４４倍以上、Ｎ＝４であれば０．２９倍以上とするのが好ましい。
【００２６】
［光フィルターの作用］
本実施形態の光フィルター１００は、窓に貼着して使用されるため、光透過帯１１、光透過帯１２の平均幅が１５０μｍ以上、５００μｍ以下であり、光フィルター１００の厚みが０．４ｍｍ以上、２．０ｍｍ以下であるという一体の構成を備える。これにより、窓の外からの太陽光を選択的に透過できるとともに、光の回折現象を低減し、窓の外観を良好にできる。
【００２７】
まず、本発明による光の選択作用について説明する。
図２は、本実施形態における光フィルター１００の断面構造を示す図である。図２に示すように、光フィルター１００は、一方の面上に遮光層１１０、他方の面上に遮光層１２０を備え、遮光層１１０は、遮光帯１０および光透過帯１１を、遮光層１２０は、遮光帯２０および光透過帯２１を、それぞれ有している。
【００２８】
図２に示すように、光フィルター１００の一方の面へ入射した光は、一部のみが光透過性基材５０に入射し光透過性基材５０を透過して光フィルター１００の他方の面側から出射されるが、他の部分は、遮光帯１０に吸収されたり、遮光帯２０に吸収される。これにより、光を選択的に透過させることができる。
【００２９】
さらに、回折現象を抑制する作用について説明する。
光の回折現象は、一般に、互いに平行な光透過帯と遮光帯が交互に配列された回折格子に単色光が垂直方向に入射されると、光は回折格子と直交する方向に、複数の回折光に分かれて進むことによって生じる現象である。複数の回折光は、進行方向の角度がわずかに異なり、入射光の中心軸に近い方から０次光、±１次光、±２次光、（以下、高次光）と順序づけて呼ばれる。
また、光の強度は、かかる０次光、±１次光、±２次光の順に低くなると同時に波長に応じて変化する。
そのため、０次光の周りには、光透過帯から生じた多数の高次光（回折光）が波長ごとにその進行方向が角度的にずれながら連なり合うために、物体の周りに虹色のぼやけた輪郭線（回折像）が見られる。
光透過帯の幅を大きくすることで各高次光の進行方向の角度が小さくなることはよく知られているが、本発明者によれば、この幅を１５０μｍ以上にすることによって、高次光の出射角度が零次光のごく近傍に収斂し、零次光の裾野となり、物体の周りに出現する虹色の回折像が視認されにくくなることが知見された。
一方、本実施形態の光フィルター１００においては、光の選択性は、光フィルター１００の厚み、光透過帯１１および遮光帯１０の幅によって制御される。そこで、本発明においては、光フィルター１００は、窓に貼着使用されるため、光透過帯１１、光透過帯１２の平均幅を１５０μｍ以上、５００μｍ以下としつつ、光フィルター１００の厚みを０．４ｍｍ以上、２．０ｍｍ以下とすることによって、光の選択性、すなわち遮光性を得つつも、回折像を見えにくくすることができることが見出された。
【００３０】
さらに本発明は、以下の構成を備えることで、光の回折現象を効果的に抑制できる。
図３に示すように、本実施形態において、光透過帯１１ａの両辺は櫛形形状となっている。すなわち、連続した凹凸部を有している。また両辺の櫛型は左右対称であり、凸部同士、凹部同士が対向している。言い換えると、光透過帯１１ａの側辺には、スリットが周期的に形成されている。すなわち、光透過帯１１ａは光フィルター１００のＸ方向の回折スリットであるのに対し、光透過帯１１ａの側辺に着目すると、光透過帯１１ａの側辺は光フィルター１００のＹ方向の回折スリットとなっている。
なお、光フィルター１００のＹ方向の回折スリットは、厳密な意味において、周期的なものでなくてもよい。周期性を低減させることで、後述する回折像の振幅分布が干渉しやすくなる。
【００３１】
図４に示すように、光透過帯１１ａは、第１の幅Ｐ１と、長さが異なる第２の幅Ｐ２とを有する。すなわち、光透過帯１１ａの左右の側辺のうち少なくとも一方の側辺が非直線部を有するものとなっている。
第１の幅Ｐ１は、光透過帯１１ａの一方の凸部の頂点から対向する凸部の頂点までの距離であり、光透過帯１１ａの幅の最小値となる。第２の幅Ｐ２は、光透過帯１１ａの一方の凹部の底部から対向する凹部の底部までの距離であり、光透過帯１１ａの幅の最大値となる。
光透過帯１１ａの最大幅（第２の幅Ｐ２）が、光透過帯１１ａの平均幅に対して、１．０以上、１．３５以下であることが好ましく、１．０５以上、１．３４以下であることがより好ましい。一方、光透過帯１１ａの最小幅（第１の幅Ｐ１）が、光透過帯１１ａの平均幅に対して、０．６５以上、１．０以下であることが好ましく、光透過帯１１ａの平均幅に対して、０．６６以上、０．９５以下であることがより好ましい。これにより、１次光以降の高次光の強度を効果的に低くすることができ、回折現象をより効果的に低減することができる。
また、図４（ｂ）には、凸部の幅Ｔ１と、凹部の幅Ｔ２がそれぞれ示されている。Ｔ１、Ｔ２はそれぞれ、２μｍ以上、１ｍｍ以下であることが好ましく、５μｍ以上、１００μｍ以下であることがより好ましい。これにより、１次光の強度を効果的に低下することができるようになる。
また、Ｔ１とＴ２は、同じ長さであってもよく、異なる長さであってもよい。すなわち、Ｐ１、Ｐ２に対し、Ｔ１、Ｔ２は垂直関係にあり、Ｐ１、Ｐ２は光透過帯１１のＸ方向の幅を示すのに対し、Ｔ１、Ｔ２は光フィルター１００のＹ方向の光透過帯１１の側辺に形成された回折スリットの幅を示す。
【００３２】
すなわち、本発明者によれば、異なる幅を持つ光透過帯とすることで、ある幅の光透過帯を透過した光の回折光の進行角度と、それとは異なる幅の光透過帯を透過した同一波長（同一色）の光の回折光の進行角度が異なるため、それぞれの回折像の振幅分布が干渉し、打ち消し合うことで、１次光以上の回折光の強度を著しく低下させることができることが回折現象のシミュレーション計算を行うことによって見出された。ただし、それぞれの回折像が干渉しあうためには、異なる幅を持つ光透過帯の段の高さ（後述する幅Ｔ１，Ｔ２など）が十分に小さくかつその組合せが光透過帯の長手方向に沿って連続することが必要である。このように、特に強度が高い１次光の強度を低下させることでより一層、回折光による輪郭線を見えにくくすることができる。言い換えると、高次光は、もともと光の強度が小さいため、たとえ干渉が十分でなくても、高次光自体は視認されにくく、回折現象として観察されにくい。
【００３３】
［使用方法］
本実施形態の光フィルター１００は、遮光帯２０が水平方向になるように窓に貼着して使用されることが好ましい。これにより、窓の上方からの太陽光を効果的に遮光することができる。
【００３４】
なお、本発明は、上記実施形態以外の他の構成を採用することもできる。
上記の実施形態では、光透過帯１１ａの両辺は櫛形形状となっている例について説明したが、光透過帯１１の左右の側辺のうち少なくとも一方の側辺が非直線部を有するものとなっていればよい。例えば、光透過帯１１の両辺が複数の段からなる凸部を有する凹凸形状であってもよい。この場合も、光透過帯１１は、長さが異なる複数の幅を有することになるため、回折現象をより効果的に低減することができる。
具体的には、図５に示すように、光透過帯１１ｂは、左右が２段のピラミッド状であって連続する凸部を有している。この場合も、第１の幅Ｐ１は、光透過帯１１ａの一方の凸部の頂点から対向する凸部の頂点までの距離であり、光透過帯１１ａの幅の最小値となる。また、左右対称であり、凸部同士、凹部同士が対向している。第２の幅Ｐ２は、光透過帯１１ａの一方の凹部の底部から対向する凹部の底部までの距離であり、光透過帯１１ａの幅の最大値となる。
また、図５（ｂ）には、凸部の幅Ｔ１と、段の幅Ｔ２と、凹部の幅Ｔ３がそれぞれ示されている。幅Ｔ１〜Ｔ３はそれぞれ、２μｍ以上、１ｍｍ以下であることが好ましく、５μｍ以上、１００μｍ以下であることがより好ましい。また、幅Ｔ１〜Ｔ３は、同じ長さであってもよく、異なる長さであってもよい。すなわち、Ｐ１、Ｐ２に対し、Ｔ１、Ｔ２は垂直関係にあり、Ｐ１、Ｐ２は光透過帯１１のＸ方向の幅を示すのに対し、Ｔ１、Ｔ２は光フィルター１００のＹ方向の光透過帯１１の側辺に形成された回折スリットの幅を示す。
【００３５】
また、例えば、光透過帯１１の両辺が波状であったり、曲線部を有すものであってもよく、この場合も、光透過帯１１は、長さが異なる複数の幅を有することになるため、回折現象をより効果的に低減することができる。
【００３６】
また、上記の実施形態では、遮光層５１として、遮光層１１０、および遮光層１２０を有する例について説明したが、遮光層５１は、３層以上であってもよい。これにより、隠蔽性を高めることができる。さらに、遮光帯１０の配置を各層ごとに設計できるため、光の選択の幅を広げることができる。たとえば、図６に示すように、３つの光透過性基材５０と、４つの遮光層５１が交互に積層したものであってもよい。遮光層５１はそれぞれ遮光帯１０および光透過帯１１を有する。この場合も、光フィルター１０１の一方の面から入射した光は、遮光帯１０を透過し、光フィルター１０１の他方の面から出射できる。なお、３つの光透過性基材５０と、３つの遮光層５１が交互に積層したものであってもよい。
【００３７】
なお、複数の光透過性基材５０は、例えば、接着層を介して積層されてもよい。接着層としては、例えば、接着剤、接着テープ等であって、光透過性を阻害するものでなければ、特に限定されず用いることができる。接着層の厚みは、３５〜４５μｍとすることが好ましい。
【００３８】
また、上記実施形態では、遮光層１１０と遮光層１２０が光透過性基材５０に対して対称である例について説明したが、遮光層１１０と遮光層１２０は、光透過性基材５０に対して、非対称としてもよい。例えば、図７に示すように、光フィルター１０２において、遮光層１１０に対して、平行な方向に移動させた位置に遮光層１２０が形成されている。
光透過帯１１を介して光透過性基材５０に入射した光は、光透過帯２１を介して出射し、かつ、遮光帯１０および遮光帯２０により光透過性基材５０に入射した光を吸収し、遮光している。これにより、光透過性基材５０の正面からの光が制限され、斜め方向からの光を選択的に透過させることができる。
また、遮光層１１０と遮光層１２０の位置は、目的に応じて適宜調整することができる。
【００３９】
以上、図面を参照して本発明の実施形態について述べたが、これらは本発明の例示であり、上記以外の様々な構成を採用することもできる。
【実施例】
【００４０】
次に、実施例により本発明を詳しく説明するが、本発明の内容は実施例に限られるものではない。
【００４１】
＜実施例＞
光透過性透明基材（ポリエステル：「コスモシャイン（登録商標）Ａ４３００」、厚さ１８８μｍ、東洋紡社製、無色透明）の一方の表面に、ピッチ９００μｍで、互いに平行な複数の黒色の直線（幅７００μｍ）を印刷し、これを３枚用意した。このとき、光透過帯の平均幅は２００μｍであった。
続けて、得られた３枚の印刷済み光透過性透明基材を接着剤で貼り合わせた。このとき、印刷面がいずれも同じ側となるようにするともに、複数の黒色の直線同士が重なり合うように積層した。得られた光フィルターの厚みは、６５０μｍであった。
黒色の直線が水平方向となるようにして光フィルターを持ち、顔の正面になるように保持した。その状態で、太陽光の下、光フィルター越しに対象物を目視にて観察した。
対象物は、光フィルターから至近距離の物体とした場合と、光フィルターから遠方の景色とした場合の２通りとした。
その結果、いずれの場合であっても、太陽光を遮断しつつ、正面方向において良好な視野を得ることができた。また、明瞭な像が観察でき、回折現象はほとんど視認されず、気にならないレベルまで低減することができた。
【符号の説明】
【００４２】
１０    遮光帯
１１    光透過帯
１１ａ    光透過帯
１１ｂ    光透過帯
２０    遮光帯
２１    光透過帯
５０    光透過性基材
５１    遮光層
１００    光フィルター
１０１    光フィルター
１０２    光フィルター
１１０    遮光層
１２０    遮光層
Ｐ１    第１の幅
Ｐ２    第２の幅
Ｔ１    幅
Ｔ２    幅
Ｔ３    幅
【図１】
2020160111.tif 000003
【図２】
2020160111.tif 000004
【図３】
2020160111.tif 000005
【図４】
2020160111.tif 000006
【図５】
2020160111.tif 000007
【図６】
2020160111.tif 000008
【図７】
2020160111.tif 000009
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
光透過性基材と、複数の遮光層とが交互に積層し、窓に貼着して使用される窓用光フィルターであって、
前記遮光層が、前記光透過性基材の表面に形成され所定のピッチで配置された実質的に平行な複数の遮光帯と、隣接する当該遮光帯の間に形成される光透過帯とを備え、
前記光透過帯の平均幅が１５０μｍ以上、３００μｍ以下であり、
前記窓用光フィルターの厚みが０．４ｍｍ以上、０．８ｍｍ以下である、窓用光フィルター。
【請求項２】
前記光透過帯の左右の側辺のうち少なくとも一方の側辺が非直線部を有する、請求項１に記載の窓用光フィルター。
【請求項３】
前記光透過帯の最大幅が、前記平均幅に対して、１．０以上、１．３５以下であり、
前記光透過帯の最小幅が、前記平均幅に対して、０．６５以上、１．０以下である、請求項１または２に記載の窓用光フィルター。
【請求項４】
前記光透過帯の左右の側辺のうち少なくとも一方の側辺が凹凸形状である、請求項１乃至３いずれか一項に記載の窓用光フィルター。
【請求項５】
前記光透過帯の両辺が櫛形形状である、請求項１乃至４いずれか一項に記載の窓用光フィルター。
【請求項６】
前記光透過帯の両辺が複数の段からなる凸部を有する凹凸形状である、請求項１乃至４いずれか一項に記載の窓用光フィルター。
【請求項７】
前記遮光帯が印刷層である、請求項１乃至６いずれか一項に記載の窓用光フィルター。
【請求項８】
前記遮光層を３層以上有する、請求項１乃至７いずれか一項に記載の窓用光フィルター。
【請求項９】
前記複数の前記遮光層が、前記光透過性基材に対して対称である、請求項１乃至８いずれか一項に記載の窓用光フィルター。
【請求項１０】
光透過性基材と、複数の遮光層とが交互に積層した構成を備える窓用光フィルターを窓に貼着する工程を有する、光の回折現象の低減方法であって、
前記遮光層が、前記光透過性基材の表面に形成され所定のピッチで配置された実質的に平行な複数の遮光帯と、隣接する当該遮光帯の間に形成される光透過帯とを備え、
前記光透過帯の平均幅が１５０μｍ以上、３００μｍ以下であり、
前記窓用光フィルターの厚みが０．４ｍｍ以上、０．８ｍｍ以下である、光の回折現象の低減方法。
【請求項１１】
前記遮光帯が水平方向になるように窓に貼着する、請求項１０に記載の光の回折現象の低減方法。
【手続補正２】
【補正対象書類名】明細書
【補正対象項目名】０００７
【補正方法】変更
【補正の内容】
【０００７】
本発明は、
光透過性基材と、複数の遮光層とが交互に積層し、窓に貼着して使用される窓用光フィルターであって、
前記遮光層が、前記光透過性基材の表面に形成され所定のピッチで配置された実質的に平行な複数の遮光帯と、隣接する前記遮光帯の間に形成される光透過帯とを備え、
前記光透過帯の平均幅が１５０μｍ以上、３００μｍ以下であり、
前記窓用光フィルターの厚みが０．４ｍｍ以上、０．８ｍｍ以下である、窓用光フィルターを提供する。
【手続補正３】
【補正対象書類名】明細書
【補正対象項目名】００３９
【補正方法】変更
【補正の内容】
【００３９】
以上、図面を参照して本発明の実施形態について述べたが、これらは本発明の例示であり、上記以外の様々な構成を採用することもできる。
以下、本発明の参考形態の一例を示す。
＜１＞
光透過性基材と、複数の遮光層とが交互に積層し、窓に貼着して使用される窓用光フィルターであって、
前記遮光層が、前記光透過性基材の表面に形成され所定のピッチで配置された実質的に平行な複数の遮光帯と、隣接する当該遮光帯の間に形成される光透過帯とを備え、
前記光透過帯の平均幅が１５０μｍ以上、５００μｍ以下であり、
前記窓用光フィルターの厚みが０．４ｍｍ以上、２．０ｍｍ以下である、窓用光フィルター。
＜２＞
前記光透過帯の左右の側辺のうち少なくとも一方の側辺が非直線部を有する、＜１＞に記載の窓用光フィルター。
＜３＞
前記光透過帯の最大幅が、前記平均幅に対して、１．０以上、１．３５以下であり、
前記光透過帯の最小幅が、前記平均幅に対して、０．６５以上、１．０以下である、＜１＞または＜２＞に記載の窓用光フィルター。
＜４＞
前記光透過帯の左右の側辺のうち少なくとも一方の側辺が凹凸形状である、＜１＞乃至＜３＞いずれか一つに記載の窓用光フィルター。
＜５＞
前記光透過帯の両辺が櫛形形状である、＜１＞乃至＜４＞いずれか一つに記載の窓用光フィルター。
＜６＞
前記光透過帯の両辺が複数の段からなる凸部を有する凹凸形状である、＜１＞乃至＜４＞いずれか一つに記載の窓用光フィルター。
＜７＞
前記遮光帯が印刷層である、＜１＞乃至＜６＞いずれか一つに記載の窓用光フィルター。
＜８＞
前記遮光層を３層以上有する、＜１＞乃至＜７＞いずれか一つに記載の窓用光フィルター。
＜９＞
前記複数の前記遮光層が、前記光透過性基材に対して対称である、＜１＞乃至＜８＞いずれか一つに記載の窓用光フィルター。
＜１０＞
＜１＞乃至＜９＞いずれか一つに記載の窓用光フィルターを、前記遮光帯が水平方向になるように窓に貼着して使用する、窓用光フィルターの使用方法。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
光透過性基材と、複数の遮光層とが交互に積層し、窓に貼着して使用される窓用光フィルターであって、
前記遮光層が、前記光透過性基材の表面に形成され所定のピッチで配置された実質的に平行な複数の遮光帯と、隣接する当該遮光帯の間に形成される光透過帯とを備え、
前記光透過帯の平均幅が１５０μｍ以上、３００μｍ以下であり、
前記窓用光フィルターの厚みが０．４ｍｍ以上、０．８ｍｍ以下であり、
前記光透過帯の左右の側辺のうち少なくとも一方の側辺が非直線部を有する、窓用光フィルター。
【請求項２】
前記光透過帯の最大幅が、前記平均幅に対して、１．０以上、１．３５以下であり、
前記光透過帯の最小幅が、前記平均幅に対して、０．６５以上、１．０以下である、請求項１に記載の窓用光フィルター。
【請求項３】
前記光透過帯の左右の側辺のうち少なくとも一方の側辺が凹凸形状である、請求項１または２に記載の窓用光フィルター。
【請求項４】
前記光透過帯の両辺が櫛形形状である、請求項１乃至３いずれか一項に記載の窓用光フィルター。
【請求項５】
前記光透過帯の両辺が複数の段からなる凸部を有する凹凸形状である、請求項１乃至３いずれか一項に記載の窓用光フィルター。
【請求項６】
前記遮光帯が印刷層である、請求項１乃至５いずれか一項に記載の窓用光フィルター。
【請求項７】
前記遮光層を３層以上有する、請求項１乃至６いずれか一項に記載の窓用光フィルター。
【請求項８】
前記複数の前記遮光層が、前記光透過性基材に対して対称である、請求項１乃至７いずれか一項に記載の窓用光フィルター。
【請求項９】
光透過性基材と、複数の遮光層とが交互に積層した構成を備える窓用光フィルターを窓に貼着する工程を有する、光の回折現象の低減方法であって、
前記遮光層が、前記光透過性基材の表面に形成され所定のピッチで配置された実質的に平行な複数の遮光帯と、隣接する当該遮光帯の間に形成される光透過帯とを備え、
前記光透過帯の平均幅が１５０μｍ以上、３００μｍ以下であり、
前記窓用光フィルターの厚みが０．４ｍｍ以上、０．８ｍｍ以下であり、
前記光透過帯の左右の側辺のうち少なくとも一方の側辺が非直線部を有する、光の回折現象の低減方法。
【請求項１０】
前記遮光帯が水平方向になるように窓に貼着する、請求項９に記載の光の回折現象の低減方法。
【手続補正２】
【補正対象書類名】明細書
【補正対象項目名】０００７
【補正方法】変更
【補正の内容】
【０００７】
本発明は、
光透過性基材と、複数の遮光層とが交互に積層し、窓に貼着して使用される窓用光フィルターであって、
前記遮光層が、前記光透過性基材の表面に形成され所定のピッチで配置された実質的に平行な複数の遮光帯と、隣接する前記遮光帯の間に形成される光透過帯とを備え、
前記光透過帯の平均幅が１５０μｍ以上、３００μｍ以下であり、
前記窓用光フィルターの厚みが０．４ｍｍ以上、０．８ｍｍ以下であり、
前記光透過帯の左右の側辺のうち少なくとも一方の側辺が非直線部を有する、窓用光フィルターを提供する。